(57)【要約】【課題】医者が、最適なトロカーポートの位置を迅速かつ簡単に見つけ決定することができるよう支援する。【解決手段】ボリュームデータにより表される３次元領域Ｄ中の点を対象点１３として設定する。対象点１３を頂点とする立体角度範囲Ｒを設定し、立体角度範囲Ｒ内に、対象点１３に向かう複数の視線ベクトルＶｉｊを設定する。複数の視線ベクトルＶｉｊの各々について、その視線ベクトルの方向と垂直な投影面に３次元領域Ｄを投影することにより、複数の投影画像Ｓｉｊを生成し、画面に並べて表示する。【選択図】図７
2014117499.tif 000002
【特許請求の範囲】
【請求項１】
被検体の撮影により取得されたボリュームデータを記憶するボリュームデータ記憶手段と、
前記ボリュームデータにより表される３次元領域中の点を対象点として設定する対象点設定手段と、
前記設定された対象点を頂点とする立体角度範囲を設定し、該設定された立体角度範囲内に、前記対象点に向かう複数の視線ベクトルを設定する視線設定手段と、
前記設定された複数の視線ベクトルの各々について、該視線ベクトルの方向と垂直な投影面に前記３次元領域を投影することにより、複数の投影画像を生成し、該生成された複数の投影画像を画面に並べて表示する投影画像表示手段と
を備えるトロカーポート位置決定支援装置。
【請求項２】
前記３次元領域中に視野の障害となる領域として予め設定された障害領域を記憶する障害領域記憶手段と、
前記複数の視線ベクトルの各々について、該視線ベクトルが前記障害領域またはその近傍を通るか否かを判定する障害判定手段とを備え、
前記投影画像表示手段が、前記障害領域またはその近傍を通ると判定された視線ベクトルについて生成された投影画像と、前記障害領域またはその近傍を通らないと判定された視線ベクトルについて生成された投影画像を視覚的に区別可能な態様で表示するものであることを特徴とする請求項１記載のトロカーポート位置決定支援装置。
【請求項３】
前記視線設定手段が、前記複数の投影画像が表示された画面において、前記複数の投影画像のうち２以上の一部の投影画像を指定するユーザ操作を検出し、該ユーザ操作により指定された一部の投影画像の視線ベクトルを含む一部の前記立体角度範囲内に、前記一部の投影画像の視線ベクトルとは異なる視線ベクトルを含む前記対象点に向かう複数の視線ベクトルを再設定するものであり、
前記投影画像表示手段が、前記再設定された複数の視線ベクトルの各々について、該視線ベクトルの方向と垂直な投影面に前記３次元領域を投影することにより、複数の投影画像を生成し、該生成された複数の投影画像を画面に並べて表示するものであることを特徴とする請求項１または２記載のトロカーポート位置決定支援装置。
【請求項４】
前記視線設定手段が、前記立体角度範囲内にある、前記対象点を球心とする所定半径の球面の一部領域に複数の基点を設定し、該設定された複数の基点のそれぞれから前記対象点に向かうベクトルを前記複数の視線ベクトルとして設定するものであり、
前記投影画像表示手段が、前記設定された複数の基点のそれぞれを視点とした透過投影により前記複数の投影画像を生成するものであることを特徴とする請求項１から３のいずれか１項記載のトロカーポート位置決定支援装置。
【請求項５】
前記対象点設定手段が、前記ボリュームデータに基づいて２次元断面画像または擬似３次元画像を生成して画面に表示し、該画面において前記２次元断面画像または擬似３次元画像中の点を指定するユーザ操作を検出し、該ユーザ操作により指定された点に対応する前記３次元領域中の点を前記対象点として設定するものであることを特徴とする請求項１から４のいずれか１項記載のトロカーポート位置決定支援装置。
【請求項６】
前記視線設定手段が、前記ボリュームデータに基づいて前記対象点を通る少なくとも１つの２次元断面画像を生成して画面に表示し、該画面において前記少なくとも１つの２次元断面画像中に前記対象点を頂点とする角度範囲を指定するユーザ操作を検出し、該ユーザ操作により指定された角度範囲に基づいて前記立体角度範囲を設定するものであることを特徴とする請求項１から５のいずれか１項記載のトロカーポート位置決定支援装置。
【請求項７】
一台または複数台のコンピュータを、
被検体の撮影により取得され所定の記憶装置に記憶されたたボリュームデータ中の点を対象点として設定する対象点設定手段と、
前記設定された対象点を頂点とする立体角度範囲を設定し、該設定された立体角度範囲内に、前記対象点に向かう複数の視線ベクトルを設定する視線設定手段と、
前記設定された複数の視線ベクトルの各々について、該視線ベクトルの方向と垂直な投影面に前記ボリュームデータを投影することにより、複数の投影画像を生成し、該生成された複数の投影画像を画面に並べて表示する投影画像表示手段
として機能させるトロカーポート位置決定支援プログラム。
【請求項８】
一台または複数台のコンピュータに、
被検体の撮影により取得され所定の記憶装置に記憶されたたボリュームデータにより表される３次元領域中の点を対象点として設定する対象点設定処理と、
前記設定された対象点を頂点とする立体角度範囲を設定し、該設定された立体角度範囲内に、前記対象点に向かう複数の視線ベクトルを設定する視線設定処理と、
前記設定された複数の視線ベクトルの各々について、該視線ベクトルの方向と垂直な投影面に前記ボリュームデータを投影することにより、複数の投影画像を生成し、該生成された複数の投影画像を画面に並べて表示する投影画像表示処理と
とを実行させることにより、トロカーポートの位置決定を支援する方法。
【発明の詳細な説明】
【技術分野】
【０００１】
本発明は、トロカーポートから術具や内視鏡を挿入して行う内視鏡下手術において、トロカーポートの位置を決定する際に医師を支援するための装置、コンピュータプログラムおよび方法に関するものである。
【背景技術】
【０００２】
近年、医療分野では、患者の体への負担を低減するために、患者の体表にトロカーポートと呼ばれる小さな穴を開け、そこから術具や内視鏡を挿入して、患部や術具の様子を内視鏡画像で観察しながら治療を行う低侵襲手術が広まっている。この低侵襲手術では、視野範囲や術具の到達可動範囲はトロカーポートの位置に大きく依存するため、トロカーポートの位置を適切に設定できるかどうかが手術の成否に関わる重要なポイントとなる。
【０００３】
特許文献１には、医者に、トロカーポートの位置を指定させ、その位置のもとで手術シミュレーションを実施し、その手術シミュレーションで、目標部位が内視鏡の視野から外れてしまったり、術具を目標部位に到達させることができないといった問題が生じた場合、医者に、トロカーポートの位置を再度指定させ、その位置のもとで再度手術シミュレーションを実施することを繰返すことにより、実際の手術に採用すべきトロカーポートの位置を決定する技術が開示されている。
【先行技術文献】
【特許文献】
【０００４】
【特許文献１】特開２０１１‐１３１０２０号公報
【発明の開示】
【発明が解決しようとする課題】
【０００５】
しかし、上記特許文献１の方法では、手術シミュレーションで上述したような問題が生じないことが確認されるまで、医者にトロカーポートの位置を繰り返し指定させ、その位置のもとで手術シミュレーションを実施することを繰返すこととなるため、トロカーポート位置の決定に長い時間がかかってしまうことがあり、問題となる。
【０００６】
、
また、上記特許文献１の方法では、手術シミュレーションで上述したような問題が生じないことが確認された時点で処理を終了し、医者が指定していない他の候補位置については未検討のままトロカーポートの位置が決定されるので、最終的に決定されたトロカーポートの位置は必ずしも最適な位置であるとは言えないという問題もある。
【０００７】
本発明は、上記事情に鑑み、トロカーポートから術具や内視鏡を挿入して行う内視鏡下手術の術前計画において、医者（ユーザ）が、最適なトロカーポートの位置をより迅速かつ簡単に見つけ決定することができるよう支援するトロカーポート位置決定支援装置、プログラムおよび方法を提供することを目的とする。
【発明の概要】
【０００８】
本発明のトロカーポート位置決定支援装置は、被検体の撮影により取得されたボリュームデータを記憶するボリュームデータ記憶手段と、ボリュームデータにより表される３次元領域中の点を対象点として設定する対象点設定手段と、対象点を頂点とする立体角度範囲を設定し、立体角度範囲内に、対象点に向かう複数の視線ベクトルを設定する視線設定手段と、複数の視線ベクトルの各々について、その視線ベクトルの方向と垂直な投影面に前記３次元領域を投影することにより、複数の投影画像を生成し、画面に並べて表示する投影画像表示手段とを備えたことを特徴とする。
【０００９】
本発明のトロカーポート位置決定支援装置は、前記３次元領域中に視野の障害となる領域として予め設定された障害領域を記憶する障害領域記憶手段と、前記複数の視線ベクトルの各々について、その視線ベクトルが障害領域またはその近傍を通るか否かを判定する障害判定手段とをさらに備え、投影画像表示手段が、障害領域またはその近傍を通ると判定された視線ベクトルについて生成された投影画像と、障害領域またはその近傍を通らないと判定された視線ベクトルについて生成された投影画像を視覚的に区別可能な態様で表示するものであってもよい。
【００１０】
視線設定手段は、複数の投影画像が表示された画面において、複数の投影画像のうち２以上の一部の投影画像を指定するユーザ操作を検出し、ユーザ操作により指定された一部の投影画像の視線ベクトルを含む一部の前記立体角度範囲内に、その一部の投影画像の視線ベクトルとは異なる視線ベクトルを含む対象点に向かう複数の視線ベクトルを再設定するものであり、投影画像表示手段は、再設定された複数の視線ベクトルの各々について、その視線ベクトルの方向と垂直な投影面に前記３次元領域を投影することにより、複数の投影画像を生成し、画面に並べて表示するものであってもよい。
【００１１】
このとき、再設定された複数の視線ベクトルの中に前に設定した視線ベクトルが含まれている場合には、それらの視線ベクトルについての投影画像は、再度生成せず、前に生成したものを援用するようにしてもよい。
【００１２】
視線設定手段は、立体角度範囲内にある、対象点を球心とする所定半径の球面の一部領域に複数の基点を設定し、複数の基点のそれぞれから対象点に向かうベクトルを前記複数の視線ベクトルとして設定するものであり、投影画像表示手段は、その設定された複数の基点のそれぞれを視点とした透過投影により前記複数の投影画像を生成するものであってもよい。
【００１３】
対象点設定手段は、ボリュームデータに基づいて２次元断面画像または擬似３次元画像を生成して画面に表示し、その画面において２次元断面画像または擬似３次元画像中の点を指定するユーザ操作を検出し、ユーザ操作により指定された点に対応する前記３次元領域中の点を対象点として設定するものであってもよい。
【００１４】
視線設定手段が、ボリュームデータに基づいて対象点を通る少なくとも１つの２次元断面画像を生成して画面に表示し、その画面において前記少なくとも１つの２次元断面画像中に対象点を頂点とする角度範囲を指定するユーザ操作を検出し、ユーザ操作により指定された角度範囲に基づいて立体角度範囲を設定するものであってもよい。
【００１５】
本発明のトロカーポート位置決定支援プログラムは、一台または複数台のコンピュータに実装され、実行された際に、そのコンピュータを、上述の対象点設定手段、視線設定手段、投影画像表示手段等として機能させることを特徴とする。このプログラムは、複数のプログラムモジュールからなり、上記各手段の処理は、それぞれ、一または複数のプログラムモジュールにより実行される。これらのプログラムモジュール群は、ＣＤ−ＲＯＭ、ＤＶＤなどの記録メディアに記録され、またはサーバコンピュータに付属するストレージやネットワークストレージにダウンロード可能な状態で記憶され、ユーザに提供される。
【００１６】
本発明のトロカーポート位置決定支援方法は、一台または複数台のコンピュータにより、被検体の撮影により取得され所定の記憶装置に記憶されたボリュームデータにより表される３次元領域中の点を対象点として設定する対象点設定処理と、対象点を頂点とする立体角度範囲を設定し、立体角度範囲内に、対象点に向かう複数の視線ベクトルを設定する視線設定処理と、複数の視線ベクトルの各々について、その視線ベクトルの方向と垂直な投影面にボリュームデータを投影することにより、複数の投影画像を生成し、画面に並べて表示する投影画像表示処理とを行うことで、トロカーポートの位置決定を支援する方法である。
【発明の効果】
【００１７】
本発明のトロカーポート位置決定支援装置、プログラムおよび方法によれば、被検体の撮影により取得され所定の記憶装置に記憶されたたボリュームデータにより表わされる３次元領域中の点を対象点として設定し、対象点を頂点とする立体角度範囲を設定し、その立体角度範囲内に対象点に向かう複数の視線ベクトルを設定し、それらの視線ベクトルの各々について、視線ベクトルの方向と垂直な投影面に前記３次元領域を投影することにより、複数の投影画像を生成し、画面に並べて表示するようにしたので、特に手術対象部位の位置に対応する前記３次元領域中の点を前記対象点とし、その手術対象部位に対してトロカーポートの設置を想定し得る体表領域をカバーするような前記立体角度範囲を設定することで、トロカーポートの複数の候補位置の各々にトロカーポートが設置された場合に得られる視野範囲の一覧表示を医者に提供できる。これにより、医者は、この一覧表示においてトロカーポートの各候補位置それぞれの視野範囲を網羅的に確認・検討でき、最適なトロカーポートの位置をより迅速かつ簡単に見つけ決定することができる。
【００１８】
本発明のトロカーポート位置決定支援装置、プログラムおよび方法において、ボリュームデータにより表される３次元領域中に視野の障害となる領域として予め設定された障害領域を所定の記憶装置に記憶しておき、複数の視線ベクトルの各々について、該視線ベクトルが障害領域またはその近傍を通るか否かを判定し、障害領域またはその近傍を通ると判定された視線ベクトルについて生成された投影画像と、障害領域またはその近傍を通らないと判定された視線ベクトルについて生成された投影画像を視覚的に区別可能な態様で表示するようにした場合には、医者は、視野の中央部が障害領域に遮られ、トロカーポートの位置として明らかに不適切である候補位置とそうでない候補位置とを迅速に把握し、それに基づいて検討対象を絞り込むことができる。これにより、作業効率を向上させることができる。
【００１９】
また、本発明のトロカーポート位置決定支援装置、プログラムおよび方法において、複数の投影画像が表示された画面において、複数の投影画像のうち２以上の一部の投影画像を指定するユーザ操作を検出し、ユーザ操作により指定された一部の投影画像の視線ベクトルを含む一部の前記立体角度範囲内に、その一部の投影画像の視線ベクトルとは異なる視線ベクトルを含む対象点に向かう複数の視線ベクトルを再設定し、再設定された複数の視線ベクトルの各々について、その視線ベクトルの方向と垂直な投影面に前記３次元領域を投影することにより、複数の投影画像を生成し、画面に並べて表示するようにした場合には、医者は、まず、立体角度範囲の全体において、比較的適切と思われるトロカーポートの候補位置を含む範囲を把握し、続いて、その範囲に絞り込んでより詳細に検討を行うことができ、最適なトロカーポートの位置をより迅速かつ簡単に見つけることができる。
【図面の簡単な説明】
【００２０】
【図１】本発明の一実施形態におけるトロカーポート位置決定支援装置の概略構成を示す図
【図２】対象点の設定方法について説明するための図
【図３】角度範囲の設定方法について説明するための図
【図４】角度範囲の設定方法について説明するための図
【図５】視線ベクトルの設定方法について説明するための図
【図６】投影画像が一覧表示された画面の一例を示す図（その１）
【図７】投影画像が一覧表示された画面の一例を示す図（その２）
【図８】投影画像の絞込み表示の方法について説明するための図
【発明を実施するための形態】
【００２１】
以下、図面を参照して、本発明のトロカーポート位置決定支援装置、プログラムおよび方法の実施形態について説明する。以下に示す実施形態において、トロカーポート位置決定支援装置は、コンピュータに、トロカーポート位置決定支援プログラムをインストールしたものである。トロカーポート位置決定支援プログラムは、ＤＶＤ、ＣＤ−ＲＯＭ等の記録メディアに格納されて配布され、その記録媒体からコンピュータにインストールされる。もしくは、ネットワークに接続されたサーバコンピュータのストレージ、あるいはネットワークストレージに、外部からアクセス可能な状態で記憶され、要求に応じて医師が使用するコンピュータにダウンロードされ、インストールされる。
【００２２】
図１は、コンピュータにトロカーポート位置決定支援プログラムをインストールすることにより実現されたトロカーポート位置決定支援装置１の概略構成を示す図である。同図が示すように、トロカーポート位置決定支援装置１は、メモリ２、ＣＰＵ３およびストレージ４を備えている。また、トロカーポート位置決定支援装置１には、ディスプレイ５と、マウス６等の入力装置が接続されている。
【００２３】
ストレージ４（ボリュームデータ記憶手段、障害領域記憶手段）には、被検体の撮影により取得されたボリュームデータが記憶されている。たとえばＣＴ装置、ＭＲＩ装置等の断層撮影装置が出力するスライスデータを再構成して得たボリュームデータ、３ＤＣＴ装置やコーンビームＣＴ装置等の３Ｄ撮影装置から出力されたボリュームデータ等が記憶されている。
【００２４】
また、ストレージ４には、そのボリュームデータ４１により表わされる３次元領域中に視野の障害となる領域として予め設定された障害領域を特定する情報が記憶されている。たとえば骨領域、主要血管領域等を特定する情報が記憶されている。このとき、障害領域は、ユーザ入力の、あるいはデフォルトで設定されたキーワード（たとえば「骨」等）に基づいてボリュームデータを解析することにより抽出された領域であってもよいし、ボリュームデータの３次元領域を表す画面においてユーザにより直接指定された領域であってもよい。
【００２５】
また、メモリ２には、トロカーポート位置決定支援プログラムが記憶されている。トロカーポート位置決定支援プログラムは、ＣＰＵ３に実行させる処理として、対象点設定処理、視線設定処理、投影画像表示処理、障害判定処理等を規定している。そして、ＣＰＵ３がプログラムに従いこれらの処理を実行することで、コンピュータは、対象点設定手段、視線設定手段、投影画像表示手段、障害判定手段等として機能することになる。
【００２６】
以下、トロカーポート位置決定支援装置１が行う具体的な処理について説明する。トロカーポート位置決定支援装置１は、選択メニューにおいてトロカーポート位置決定支援機能が選択されたことを検出すると、ストレージ４に記憶されている被検体のボリュームデータ４１をメモリ２にロードする。
【００２７】
次に、トロカーポート位置決定支援装置１は、ボリュームデータ４１により表される３次元領域（以下、「３次元領域Ｄ」という）中の１つの点を対象点として設定する対象点設定処理を実行する。対象点は手動または自動で設定することができ、手動設定の場合、ボリュームデータ４１に基づいてアキシャル、サジタル、コロナルなどの２次元断面画像またはボリュームレンダリングなどの擬似３次元画像を生成し、ディスプレイ５の画面に表示し、その画面に対するユーザのマウス操作を検出する。そして、カーソル１０で指定された２次元断面画像または擬似３次元画像中の点１２の位置を取得し、その位置に対応する３次元領域Ｄ中の点１３を対象点として設定する。図２は、アキシャルの２次元断面画像２２を画面に表示させ、その画面において点１２の指定を受け付け、対象点とすべき３次元領域Ｄ中の点１３の位置を特定する場合を例示する図である。
【００２８】
自動設定の場合、トロカーポート位置決定支援装置１は、ボリュームデータ４１を解析することにより手術の対象部位となる病変等の特徴的部位を検出し、その特徴的部位の位置を示すボリュームデータ中の点を、対象点として設定する。特徴的部位の検出には、公知のＣＡＤ（Computer-aided Diagnosis）システムで採用されている種々の自動検出方法を用いることができる。なお、対象点の設定については、メニュー選択により、手動設定と自動設定を選択的に実行できるようにしてもよい。
【００２９】
次に、トロカーポート位置決定支援装置１は、対象点１３を頂点とする立体角度範囲を設定し、その立体角度範囲内に、対象点１３に向かう複数の視線ベクトルＶｉｊ（ｉ，ｊは自然数）を設定する視線設定処理を実行する。この視線設定処理では、まず、ボリュームデータ４１に基づいて対象点１４３通る少なくとも１つの２次元断面画像を生成して画面に表示し、その画面において前記少なくとも１つの２次元断面画像中に対象点１３を頂点とする扇形の角度範囲を指定するユーザ操作を検出し、そのユーザ操作により指定された角度範囲に基づいて円錐または角錐状の立体角度範囲を設定する。
【００３０】
たとえば、図３に示すようなアキシャルの２次元断面画像２３をディスプレイ５の画面に表示し、その画面において２次元断面画像２３中に点１４，１５を順次指定するユーザのマウス操作を検出し、対象点１３を始点とし、点１４を通って延びる中央基準線１４ａから、対象点１３を始点とし、点１５を通って延びた範囲設定線１５ａまでの角度範囲、および、中央基準線１４ａから範囲設定線１５ａとは反対側の円周方向に同じ角度の広がりを有する角度範囲からなる角度範囲Ｒ１を取得する。また、図４に示すようなサジタルの２次元断面画像２４をディスプレイ５の画面に表示し、その画面において２次元断面画像２４中に点１６，１７を順次指定するユーザのマウス操作を検出し、対象点１３を始点とし、点１６を通って延びる中央基準線１６ａから、対象点１３を始点とし、点１７を通って延びた範囲設定線１７ａまでの角度範囲、および、中央基準線１６ａから範囲設定線１７ａとは反対側の円周方向に同じ角度の広がりを有する角度範囲からなる角度範囲Ｒ２を取得する。そして、それらの指定された角度範囲Ｒ１，Ｒ２に基づいて、図５に示すような、アキシャル断面の円周方向に角度範囲Ｒ１を有し、サジタル断面の円周方向に角度範囲Ｒ２を有する立体角度範囲Ｒを設定する。
【００３１】
続いて、その設定された立体角度範囲Ｒ内に、対象点１３に向かう複数の視線ベクトルＶｉｊ（ｉ，ｊは自然数）を設定する。たとえば図５に示すように、立体角度範囲内Ｒにある、対象点１３を球心とする半径ｒの球面の一部領域３５を設定し、その領域３５を３行５列で隣り合う１５個の分割領域に略等分割し、各分割されてなる領域内に１点ずつの基点Ｐｉｊ（ｉ＝１〜３，ｊ＝１〜５）を設定し、複数の基点Ｐｉｊのそれぞれから対象点１３に向かう複数の視線ベクトルＶｉｊを設定する。これにより、立体角度範囲内Ｒに、３行５列の略等間隔で隣り合う１５個の視線ベクトルＶｉｊが設定されることとなる。なお、このとき、半径ｒの大きさは、ユーザが、任意に設定・修正可能にしてもよい。
【００３２】
次いで、トロカーポート位置決定支援装置１は、視線設定処理において設定された複数の視線ベクトルＶｉｊの各々について、その視線ベクトルの方向と垂直な投影面に３次元領域Ｄを投影することにより、複数の投影画像Ｓｉｊ（ｉ＝１〜３，ｊ＝１〜５）を生成し、画面に並べて表示する投影画像表示処理を実行する。３次元領域Ｄを投影するときの手法は、透過投影(中心投影)でも、平行投影でもよい。透過投影の場合には、領域３５上に設定された複数の基点Ｐｉｊそれぞれを視点とした投影により複数の投影画像Ｓｉｊを生成する。また、投影画像を生成する際には、３次元領域Ｄを解析することにより、対象部位を含む対象臓器領域や周辺の他の主な臓器領域、骨領域等を予め特定し記憶しておき、その情報に基づいて、所望する投影画像の生成に適した不透明度値などの表示パラメータの設定を行うようにするとよい。
【００３３】
また、複数の投影画像Ｓｉｊを画面に表示する際には、それらの投影画像Ｓｉｊが、画面上において、視線ベクトルＶｉｊの位置関係に対応した配置となるようにすることで、医者が、投影画像の一覧表示を参照する際に、注目する投影画像の大体の視線方向を把握しやすくすることができる。図６は、トロカーポート位置決定支援装置１により複数の投影画像Ｓｉｊが表示された画面の一例を示す図である。この画面例のでは、複数の投影画像Ｓｉｊを複数の視線ベクトルＶｉｊと同じ３行５列で並べて表示している。
【００３４】
また、トロカーポート位置決定支援装置１は、複数の投影画像Ｓｉｊを画面に表示する際に、ストレージ４に記憶されている障害領域の情報を参照して、複数の視線ベクトルＶｉｊの各々について、その視線ベクトルが障害領域またはその近傍、すなわち視野の中央部（画像の中央部に相当）を通るか否かを判定し、障害領域またはその近傍を通ると判定された視線ベクトルについて生成された投影画像と、障害領域またはその近傍を通らないと判定された視線ベクトルについて生成された投影画像を視覚的に区別可能な態様で表示することができる。たとえば図７に示すように、画面に表示された全ての投影領域Ｓｉｊのうち障害領域またはその近傍を通ると判定された視線ベクトルについて生成された投影画Ｓ１５，Ｓ２５上にのみ×印のマーク４２を表示することができる。なお、このような区別表示は、ユーザが、設定にて、実行／非実行を任意に切り替えられるようにしてもよい。
【００３５】
また、トロカーポート位置決定支援装置１は、上述の投影画像表示処理により複数の投影画像Ｓｉｊが表示された画面において、複数の投影画像のうち２以上の一部の投影画像を指定するユーザのマウス操作を検出すると、そのユーザ操作により指定された一部の投影画像の視線ベクトルを含む一部の立体角度範囲内に、それらの一部の投影画像の視線ベクトルとは異なる視線ベクトルを含む複数の視線ベクトルを再設定する視線設定処理と、再設定された複数の視線ベクトルの各々についてまた投影画像を生成し、生成された複数の投影画像を画面に並べて表示する投影画像表示処理とをさらに実行する。
【００３６】
たとえば図８の左図に示すような、１５個の投影画像Ｓｉｊが表示された画面２７において、２行３列で隣り合う６個の投影画像Ｓ２３〜Ｓ２５、Ｓ３３〜Ｓ３５を指定するユーザのマウス操作に応じて、図８の右図に示すような、その指定された一部の画像範囲に絞って生成し直した複数の投影画像が表示された画面２８に表示を切替えることができる。この図８の例では、画面２７において指定された６個の投影画像を含む一部の範囲内の、各隣り合う２つの視線ベクトルの中間位置に新たな視線ベクトルを追加的に設定し、新たに設定された視線ベクトルの各々について投影画像を生成し、そこで生成された投影画像Ｓ２３ａ,Ｓ２４ａ,Ｓ２３ｂ,Ｓ２３ａｂ,・・・と前に生成してある投影画像Ｓ２３〜Ｓ２５、Ｓ３３〜Ｓ３５とが、画面上において、視線ベクトルの位置関係に対応する配置となるようにしている。
【００３７】
以上の構成により、本発明のトロカーポート位置決定支援装置、プログラムおよび方法によれば、医者は、トロカーポートの複数の候補位置の各々にトロカーポートが設置された場合に得られる視野範囲の一覧表示に基づいて、トロカーポートの各候補位置それぞれの視野範囲を網羅的に確認・検討でき、最適なトロカーポートの位置をより迅速かつ簡単に見つけ決定することができる。
【００３８】
なお、上記本実施形態では、対象点１３を頂点とする立体角度範囲Ｒを設定する際に、２次元断面画像２３中に２つの点（たとえば、図３中の点１４，１５）を指定するユーザのマウス操作を受けて、それぞれの点に基づいて中央基準線と広がり角度（図３ではθ１、図４ではθ２）とを特定するようにした場合について説明したが、広がり角度については、デフォルトの角度を予め設定しておき、ユーザ操作により中央基準線が与えられた時点で、そのデフォルトの角度により定められる角度範囲を画面に表示し、その画面において、ユーザが、必要に応じて広がり角度をマウス操作により変更可能に構成してもよい。
【００３９】
また、上記本実施形態では、３行５列で隣り合う１５個の視線ベクトルを設定する場合を例示しているが、視線ベクトルの数や分布はこの実施形態に限られるものではなく、たとえば、画面に同時表示が可能な投影画像の数、立体角度範囲の形状や大きさ等に応じて任意に設定することができる。
【００４０】
また、本実施形態において一台のトロカーポート位置決定支援装置により実行される処理は、複数台のコンピュータにより分担して実行してもよい。
【００４１】
このように、本発明は上記実施形態に限られるものではなく、本発明の趣旨を逸脱しない範囲で、種々の変更を加えることができる。
【符号の説明】
【００４２】
１      トロカーポート位置決定支援装置
２      メモリ
３      ＣＰＵ
４      ストレージ
５      ディスプレイ
６      マウス
１０    カーソル
１３    対象点
３５    球面の一部領域
４１    ボリュームデータ
４２    マーク
Ｒ      立体角度範囲
Ｐｉｊ  基点
Ｓｉｊ  投影画像
Ｖｉｊ  視線ベクトル
【図１】
2014117499.tif 000003
【図５】
2014117499.tif 000004
【図８】
2014117499.tif 000005
【図２】
2014117499.tif 000006
【図３】
2014117499.tif 000007
【図４】
2014117499.tif 000008
【図６】
2014117499.tif 000009
【図７】
2014117499.tif 000010